(57)【要約】【課題】太陽電池素子の表面で反射した光を再入射させて発電効率の向上を図るとともに、歩留まりの低下を抑制することのできる太陽電池モジュールを得ること。【解決手段】太陽電池素子モジュールは、導電性を有するインターコネクタ８を用いて複数の太陽電池素子１を直列に接続してなる太陽電池モジュールであって、太陽電池素子１の受光面側に接着されたインターコネクタ８の表面に樹脂系の接着材１４で接着された反射用部材１１を備える。【選択図】図４
2013149863.tif 000002
【特許請求の範囲】
【請求項１】
導電性を有するインターコネクタを用いて複数の太陽電池素子を直列に接続してなる太陽電池モジュールであって、
前記太陽電池素子の受光面側に接着された前記インターコネクタの表面に樹脂系の接着材で接着された反射用部材を備えることを特徴とする太陽電池モジュール。
【請求項２】
前記反射用部材が導電性を有することを特徴とする請求項１に記載の太陽電池モジュール。
【請求項３】
前記接着材が導電性を有することを特徴とする請求項１または２に記載の太陽電池モジュール。
【発明の詳細な説明】
【技術分野】
【０００１】
本発明は、太陽電池素子を連結して形成された太陽電池モジュールに関する。
【背景技術】
【０００２】
複数の太陽電池素子を備える太陽電池モジュールの構造は、例えば特許文献１に開示されている。すなわち、太陽電池素子の表面（受光面）と裏面に、それぞれ印刷によって銀電極が形成されている。太陽電池素子の表面電極と、隣接する太陽電池素子の裏面の電極とに銅箔等の導電性のインターコネクタがはんだ付けされて、所定の数の太陽電池素子を直列に接続したストリングスが形成される。さらに、所定数のストリングスを併設し、ストリングスから導出されたインターコネクタを銅箔等の導電性の出力リードフレームにはんだ付けして連結することで、アレイが形成される。そして、ガラスのような透光性を有する表面部材とＥＶＡ等の透光性を有する封止材と耐候性を有する裏面部材とによってアレイを封止して太陽電池モジュールが形成される。
【先行技術文献】
【特許文献】
【０００３】
【特許文献１】特開平１１−３１２８２０号公報
【発明の概要】
【発明が解決しようとする課題】
【０００４】
太陽電池素子の表面（受光面）に光が入射すると太陽電池素子内部に電気が発生する。しかし、入射した光の一部は太陽電池素子の表面で反射してしまう。太陽電池素子では、より多くの光を吸収させて発電効率の向上を図ることが望まれているが、太陽電池素子の表面で反射してしまい太陽電池素子に吸収されなかった光は、発電に寄与することができない。
【０００５】
例えば、インターコネクタを肉厚にすれば、太陽電池素子の表面で反射した光をインターコネクタの側面で反射させて、再度太陽電池素子に入射させることができる。しかしながら、肉厚にすることで、インターコネクタの剛性が増加する。インターコネクタの剛性が増加すると、太陽電池素子の電極とインターコネクタとをはんだ付けする際に、はんだが室温まで冷却する過程において、両者の線膨張係数の差に起因して太陽電池素子に発生する応力が増大し、太陽電池素子が破損してしまい、歩留まりが低下してしまうという問題があった。
【０００６】
本発明は、上記に鑑みてなされたものであって、太陽電池素子の表面で反射した光を再入射させて発電効率の向上を図るとともに、歩留まりの低下を抑制することのできる太陽電池モジュールを得ることを目的とする。
【課題を解決するための手段】
【０００７】
上述した課題を解決し、目的を達成するために、本発明は、導電性を有するインターコネクタを用いて複数の太陽電池素子を直列に接続してなる太陽電池モジュールであって、太陽電池素子の受光面側に接着されたインターコネクタの表面に樹脂系の接着材で接着された反射用部材を備えることを特徴とする。
【発明の効果】
【０００８】
本発明によれば、太陽電池素子の表面で反射した光を反射用部材で反射させて再入射させることで発電効率の向上を図ることができるという効果を奏する。また、樹脂系の接着材の硬化温度は、はんだの凝固温度に比べて低いため、反射用部材をインターコネクタに接着する際に太陽電池素子に発生する応力を抑えることができる。さらに、接着材の変形による応力の緩和作用によって、太陽電池素子に発生する応力をさらに抑えることができ、太陽電池素子の破損を抑制して、歩留まりの向上を図ることができるという効果を奏する。
【図面の簡単な説明】
【０００９】
【図１】図１は、本発明の実施の形態にかかる太陽電池モジュールが備える太陽電池素子を受光面側から見た上面図である。
【図２】図２は、図１に示す太陽電池素子を受光面の反対面側から見た下面図である。
【図３】図３は、本発明の実施の形態にかかる太陽電池モジュールの一部の概略構成を示す斜視図である。
【図４】図４は、図３に示すＡ−Ａ線に沿った矢視断面図である。
【図５】図５は、比較例にかかる太陽電池モジュールであって、図４に示す部位に相当する部分の断面図である。
【発明を実施するための形態】
【００１０】
以下に、本発明の実施の形態にかかる太陽電池モジュールを図面に基づいて詳細に説明する。なお、この実施の形態によりこの発明が限定されるものではない。また、以下に示す図面においては、理解の容易のため、各部材の縮尺が実際とは異なる場合がある。各図面間においても同様である。また、図面を見易くするために、平面図であってもハッチングを付す場合があり、断面図であってもハッチングを省略する場合がある。
【００１１】
実施の形態．
図１は、本発明の実施の形態にかかる太陽電池モジュールが備える太陽電池素子を受光面側から見た上面図である。図２は、図１に示す太陽電池素子を受光面の反対面側から見た下面図である。図３は、本発明の実施の形態にかかる太陽電池モジュールの一部の概略構成を示す斜視図である。図４は、図３に示すＡ−Ａ線に沿った矢視断面図である。
【００１２】
図１に示すように、太陽電池モジュールが備える太陽電池素子１は、半導体基板５の受光面側にリン拡散によって不純物層拡散層（図示せず）が形成されているとともにシリコン窒化膜よりなる反射防止膜４が形成されている。また、半導体基板５の受光面側には、長尺細長の細線電極３と、この細線電極３と導通する集電電極２が設けられている。細線電極３と集電電極２は、それぞれの底面部において不純物拡散層と電気的に接続されている。
【００１３】
また、図２に示すように、太陽電池素子１の裏面（受光面と反対側の面）には、ほぼ全体にわたって裏面電極７が設けられるとともに集電電極２と略同一方向に裏面集電電極６が設けられている。
【００１４】
また、図３に示すように、太陽電池素子１の裏面集電電極６と、隣接する太陽電池素子１の集電電極２とに導電性のインターコネクタ８をはんだ付けして、複数枚（例えば１０枚）の太陽電池素子１を直列に接続したストリングス９が形成される。なお、インターコネクタ８は銅からなり、あらかじめＳｎ−Ａｇ−Ｃｕのはんだを表面にコーティングしたものである。
【００１５】
さらに、ストリングス９から導出したインターコネクタ８を出力リードフレーム１０にはんだ付けすることで、複数本（例えば５本）のストリングス９が電気的に連結される。出力リードフレーム１０は銅からなり、あらかじめＳｎ−Ａｇ−Ｃｕのはんだ（図４に示すはんだ材１３）を表面にコーティングしたものである。
【００１６】
インターコネクタ８の上には反射用部材１１が接着されている。図４に示すように、反射用部材１１は、樹脂系の接着材１４によって接着されている。以上により本実施の形態にかかる太陽電池モジュールの本体部１２が得られる。なお、太陽電池モジュールの本体部１２は、ガラス１５とＥＶＡ等の透光性を有する封止材１６と耐候性を有する裏面部材（図示せず）とによって封止される。
【００１７】
図５は、比較例にかかる太陽電池モジュールであって、図４に示す部位に相当する部分の断面図である。比較例にかかる太陽電池モジュールでは、インターコネクタ８上に反射用部材１１（図４も参照）が設けられていない。
【００１８】
太陽電池モジュールにおいて、太陽電池素子１に入射した光１７ａは、その一部が太陽電池素子１に吸収される光１７ｄとなり、残りが太陽電池素子１に反射される光１７ｂとなる。太陽電池素子１に吸収される光１７ｄは、太陽電池素子１に電力を生じさせる。そして、太陽電池素子１で反射される光１７ｂは、太陽電池素子１の発電にほとんど寄与することなくガラス１５から出射されてしまう。
【００１９】
一方、本実施の形態にかかる太陽電池モジュールでは、図４に示すように、インターコネクタ８上に反射用部材１１が設けられているため、太陽電池素子１で反射された光１７ｂの一部を、反射用部材１１の側面で再度反射させることができる。反射用部材１１の側面で反射された光１７ｃは、太陽電池素子１に入射され、太陽電池素子１に吸収される光１７ｅとして、太陽電池素子１に電力を生じさせる。
【００２０】
このように、比較例では、太陽電池素子１の表面で反射されて発電に寄与できなかった光１７ｂも、太陽電池素子１に吸収することが可能となり、発電効率の向上を図ることができる。さらに、樹脂系の接着材１４の硬化温度は、はんだ材１３の凝固温度に比べて低いため、反射用部材１１をインターコネクタ８に接着する際に太陽電池素子１に発生する応力を抑えることができる。
【００２１】
さらに、接着材１４の変形による応力の緩和作用によって太陽電池素子１に発生する応力をさらに抑えることができ、太陽電池素子１の破損を抑制して歩留まりの向上を図ることができる。
【００２２】
本実施の形態では、反射用部材１１には、銅の表面にＳｎはんだをめっきしたものを用いており、導電部の断面積が大きくなって抵抗損失が減少し、発電効率のより一層の向上を図ることができる。
【００２３】
また、接着材１４にはエポキシ系の樹脂接着材を用いたが、導電性接着材を用いれば、インターコネクタ８と反射用部材１１との接続抵抗が低くなる。これにより、抵抗損失の減少による発電効率のより一層の向上を図ることができる。なお、反射用部材１１は樹脂材に光沢めっきを形成したものでもよく、反射用部材１１の長さは太陽電池素子１よりも長くてもよいし短くてもよい。また、反射用部材１１の本数には特に制約はない。
【産業上の利用可能性】
【００２４】
以上のように、本発明にかかる太陽電池モジュールは、インターコネクタで連結された複数の太陽電池素子を備える太陽電池モジュールに有用である。
【符号の説明】
【００２５】
１  太陽電池素子
２  集電電極
３  細線電極
４  反射防止膜
５  半導体基板
６  裏面集電電極
７  裏面電極
８  インターコネクタ
９  ストリングス
１０  出力リードフレーム
１１  反射用部材
１２  本体部
１３  はんだ材
１４  接着材
１５  ガラス
１６  封止材
１７ａ〜１７ｄ  光
【図１】
2013149863.tif 000003
【図２】
2013149863.tif 000004
【図３】
2013149863.tif 000005
【図４】
2013149863.tif 000006
【図５】
2013149863.tif 000007